(57)【要約】  複数の通信プラットフォームの少なくとも１つを用いて他拠点の情報処理装置と通信する情報処理装置である。前記他拠点の情報処理装置から送信された送信画像を受信する受信手段と、前記受信手段が受信した前記送信画像を表示装置に表示する表示手段と、表示用画像を記憶する画像記憶手段から前記表示用画像を読み出す読出手段と、を有する情報処理装置である。前記通信プラットフォームが切り替えられている間の少なくともある期間において、前記表示手段は前記送信画像を前記読出手段が読み出した前記表示用画像に切り替えて前記表示装置に表示する情報処理装置である。
2016147855.tif 000002
【特許請求の範囲】
【請求項１】
複数の通信プラットフォームの少なくとも１つを用いて他拠点の情報処理装置と通信する情報処理装置であって、
前記他拠点の情報処理装置から送信された送信画像を受信する受信手段と、
前記受信手段が受信した前記送信画像を表示装置に表示する表示手段と、
表示用画像を記憶する画像記憶手段から前記表示用画像を読み出す読出手段と、を有し、
前記通信プラットフォームが切り替えられている間の少なくともある期間において、前記表示手段は前記送信画像を前記読出手段が読み出した前記表示用画像に切り替えて前記表示装置に表示する情報処理装置。
【請求項２】
前記画像記憶手段には複数の前記表示用画像が記憶されており、
前記他拠点の情報処理装置との通信状況を検出する状況検出手段と、
前記通信状況に対応づけて前記表示用画像の識別情報が登録された画面識別情報記憶手段から、前記状況検出手段が検出した前記通信状況に対応づけられた前記識別情報を取得する画面決定手段と、を有し、
前記読出手段は、前記画面決定手段が取得した前記識別情報の前記表示用画像を前記画像記憶手段から読み出し、
前記通信プラットフォームが切り替えられている間の少なくともある期間において、前記表示手段は前記表示用画像を前記表示装置に表示する請求項１に記載の情報処理装置。
【請求項３】
前記状況検出手段は前記通信プラットフォームの切り替えに要する時間に相関する前記通信状況を検出するものであり、
前記画面決定手段は、前記状況検出手段が検出した前記通信状況に基づいて前記表示用画像として動画又は静止画の前記識別情報を画面識別情報記憶手段から取得する請求項２に記載の情報処理装置。
【請求項４】
前記状況検出手段は前記他拠点の情報処理装置との通信帯域又は拠点数の少なくとも一方を検出するものであり、
前記画面決定手段は、前記状況検出手段が検出した前記通信帯域又は前記拠点数に対応づけられた前記識別情報を画面識別情報記憶手段から取得する請求項３に記載の情報処理装置。
【請求項５】
前記画像記憶手段には複数の前記表示用画像が記憶されており、
前記通信プラットフォームの切り替えに要した切替時間を切替時間記憶手段に記録する記録手段と、
前記切替時間記憶手段に記憶されている過去の前記切替時間に基づいて前記通信プラットフォームの切り替えに要する前記切替時間を推測する切替時間推測手段と、
前記切替時間に対応づけて前記表示用画像の識別情報が登録された画面識別情報記憶手段から、前記切替時間推測手段が推測した前記切替時間に対応づけられた前記識別情報を取得する画面決定手段と、を有し、
前記読出手段は、前記画面決定手段が取得した前記識別情報の前記表示用画像を前記画像記憶手段から読み出し、
前記通信プラットフォームが切り替えられている間の少なくともある期間において、前記表示手段は前記表示用画像を前記表示装置に表示する請求項１に記載の情報処理装置。
【請求項６】
前記他拠点の情報処理装置との通信状況を検出する状況検出手段を有し、
前記画面識別情報記憶手段には、前記切替時間及び前記通信状況に対応づけて前記表示用画像の前記識別情報が登録されており、
前記画面決定手段は、前記画面識別情報記憶手段から、前記切替時間推測手段が推測した前記切替時間及び前記状況検出手段が検出した前記通信状況に対応づけられた前記識別情報を取得する請求項５に記載の情報処理装置。
【請求項７】
前記他拠点の情報処理装置との通信状況を検出する状況検出手段を有し、
前記記録手段は、前記通信プラットフォームの切り替えに要した切替時間を前記状況検出手段が検出した前記通信状況に対応づけて前記切替時間記憶手段に記録し、
前記切替時間推測手段は、前記切替時間記憶手段において前記状況検出手段が検出した前記通信状況に対応づけられている前記切替時間に基づいて前記通信プラットフォームの切り替えに要する前記切替時間を推測し、
前記画面決定手段は、前記画面識別情報記憶手段から前記切替時間推測手段が推測した前記切替時間に対応づけられた前記識別情報を取得する請求項５に記載の情報処理装置。
【請求項８】
前記表示用画像は前記通信プラットフォームの切り替え中であることを示す情報が含まれる請求項１〜７いずれか１項に記載の情報処理装置。
【請求項９】
前記表示装置に表示された前記送信画像を取り込む取り込み手段を有し、
前記通信プラットフォームが切り替えられている間の少なくともある期間において、前記表示手段は、前記取り込み手段が取り込んだ前記送信画像を前記表示装置に表示する請求項１に記載の情報処理装置。
【請求項１０】
前記通信プラットフォームの切り替えが開始される前に、前記取り込み手段は複数の前記送信画像を取り込んでおき、
前記通信プラットフォームが切り替えられている間の少なくともある期間において、前記表示手段は、前記取り込み手段が取り込んだ複数の前記送信画像を切り替えて前記表示装置に表示する請求項９に記載の情報処理装置。
【請求項１１】
前記通信プラットフォームを切り替える装置から前記通信プラットフォームの切り替えのフェーズ情報を取得する取得手段を有し、
前記表示手段は、前記取得手段が取得した前記フェーズ情報を前記表示用画像と共に前記表示装置に表示する請求項１〜１０いずれか１項に記載の情報処理装置。
【請求項１２】
前記複数の通信プラットフォームの少なくとも１つは映像データの送信方法が異なる請求項１〜１１いずれか１項に記載の情報処理装置。
【請求項１３】
複数の通信プラットフォームの少なくとも１つを用いて他拠点の情報処理装置と通信する情報処理装置によって行われる画面表示方法であって、
受信手段が、前記他拠点の情報処理装置から送信された送信画像を受信するステップと、
表示手段が、前記受信手段が受信した前記送信画像を表示装置に表示するステップと、
読出手段が、表示用画像を記憶する画像記憶手段から前記表示用画像を読み出すステップと、
前記通信プラットフォームが切り替えられている間の少なくともある期間において、前記表示手段が、前記送信画像を前記読出手段が読み出した前記表示用画像に切り替えて前記表示装置に表示するステップと、を有する画面表示方法。
【請求項１４】
複数の通信プラットフォームの少なくとも１つを用いて他拠点の情報処理装置と通信する情報処理装置に、
前記他拠点の情報処理装置から送信された送信画像を受信する受信ステップと、
前記受信ステップにより受信された前記送信画像を表示装置に表示する表示ステップと、
表示用画像を記憶する画像記憶手段から前記表示用画像を読み出す読出ステップと、
前記通信プラットフォームが切り替えられている間の少なくともある期間において、前記送信画像を前記読出ステップにより読み出された前記表示用画像に切り替えて前記表示装置に表示するステップと、
を実行させるためのプログラム。
【請求項１５】
複数の通信プラットフォームの少なくとも１つを用いて他拠点の情報処理装置と通信する情報処理装置と、前記通信プラットフォームを切り替える情報処理装置とを有する伝送システムであって、
前記他拠点の情報処理装置から送信された送信画像を受信する受信手段と、
前記受信手段が受信した前記送信画像を表示装置に表示する表示手段と、
表示用画像を記憶する画像記憶手段から前記表示用画像を読み出す読出手段と、を有し、
前記通信プラットフォームが切り替えられている間の少なくともある期間において、前記表示手段は前記送信画像を前記読出手段が読み出した前記表示用画像に切り替えて前記表示装置に表示する伝送システム。
【発明の詳細な説明】
【技術分野】
【０００１】
本発明は、情報処理装置、画面切り替え方法、プログラム及び伝送システムに関する。
【背景技術】
【０００２】
インターネット等の通信ネットワークを介して複数の端末装置間でテレビ会議を行う伝送システムの一例としてテレビ会議システムが知られている。このようなテレビ会議システムでは、一方の伝送端末からテレビ会議中に収集された画像データ及び音声データを送信する。他方の伝送端末はこの画像データ及び音声データを受信し、ディスプレイ等に画像を表示したり、スピーカから音声を出力したりすることで、これらの伝送端末間でテレビ会議を行うことができる。【０００３】
ところで、複数の伝送端末間で画像データ及び音声データを送信するための通信プラットフォーム（通信を行うための基盤システムや仕組み）の多様化が進んでいる。このため、同じ拠点同士でテレビ会議を行う場合でも、サービス提供者やユーザは複数の通信プラットフォームのうちいずれかを採用しうる状況が生じることがある。
そこで、適切な通信プラットフォームに切り替える技術が考案されている（例えば、特許文献１参照。）。特許文献１には、各端末に情報のやり取りを監視させ、例えば回線速度や端末の処理能力などから情報交換の負荷を算出し、閾値を超えたことを検知して、Ｐ２Ｐ（Peer-to-Peer）形式からサーバクライアント形式へ自動的に移行するネットワークシステムが開示されている。
しかしながら、特許文献１に記載されたネットワークシステムでは、通信プラットフォームの切り替えの際、テレビ会議システムがどのような状態かをユーザが把握しにくいという問題があった。すなわち、テレビ会議システム等の遠隔コミュニケーションシステムが通信プラットフォームを切り替えている間、ユーザはコミュニケーションを行うことができない。しかし、コミュニケーションを行えない理由としては通信や伝送端末の不具合による可能性もあるため、ユーザは遠隔コミュニケーションで利用しているシステムがどのような状態かを特定しにくい。
【先行技術文献】
【特許文献】
【０００４】
【特許文献１】特開２００８‐０９０６５１号公報
【発明の概要】
【発明が解決しようとする課題】
【０００５】
本発明は、上記課題に鑑み、通信プラットフォームの切り替えの際にシステムがどのような状態かをユーザが把握しやすい情報処理装置を提供することを目的とする。
【課題を解決するための手段】
【０００６】
本発明の一実施例は、複数の通信プラットフォームの少なくとも１つで他拠点の情報処理装置と通信する情報処理装置であって、前記他拠点の情報処理装置から送信された送信画像を受信する受信手段と、前記受信手段が受信した前記送信画像を表示装置に表示する表示手段と、表示用画像を記憶する画像記憶手段から前記表示用画像を読み出す読出手段と、を有し、前記通信プラットフォームが切り替えられている間の少なくともある期間において、前記表示手段は前記送信画像を前記読出手段が読み出した前記表示用画像に切り替えて前記表示装置に表示することを特徴とする情報処理装置が提供されている。
【発明の効果】
【０００７】
本発明の実施例によれば、通信プラットフォームの切り替えの際にシステムがどのような状態かをユーザが把握しやすい情報処理装置を提供することができる。
【図面の簡単な説明】
【０００８】
【図１】通信プラットフォームの切り替えを説明する図の一例である。
【図２】通信プラットフォームの切り替えを説明する図の一例である。
【図３】伝送端末に接続されたディスプレイに表示される切替画面を説明する図の一例である。
【図４】伝送端末に接続されたディスプレイに表示される切替画面を説明する図の一例である。
【図５】伝送端末に接続されたディスプレイに表示される切替画面を説明する図の一例である。
【図６】伝送システムの一例の概略図である。
【図７】伝送端末のハードウェア構成図の一例である。
【図８】伝送管理システムのハードウェア構成図の一例である。
【図９】伝送端末，及び、伝送管理システムの機能ブロック図の一例である。
【図１０】伝送端末１０ａａと１０ａｂがセッションを確立する手順を説明するシーケンス図の一例である。
【図１１】通信ＰＦの切り替え手順を示すシーケンス図の一例である。
【図１２】伝送端末が会議中画面の表示を終了させて切替画面を表示する処理の手順を示すフローチャート図の一例である。
【図１３】切替画像の一例を示す図である。
【図１４】切替画像の一例を示す図である。
【図１５】切替画像の一例を示す図である。
【図１６】伝送端末が会議中画面の表示を終了させて切替画面を表示する処理の手順を示すフローチャート図の一例である。
【図１７】伝送端末の機能ブロック図の一例である。
【図１８】伝送端末が会議中画面の表示を終了させて切替画面を表示する処理の手順を示すフローチャート図の一例である（実施例２）。
【図１９】伝送端末の機能ブロック図の一例である。
【図２０】ディスプレイに表示された会議中画面のキャプチャと切替画面の表示を模式的に説明する図の一例である。
【図２１】伝送端末が会議中画面の表示を終了させて切替画面を表示する処理の手順を示すフローチャート図の一例である（実施例３）。
【図２２】切替画面の一例を示す図である。
【図２３】切替画面の一例を示す図である。
【図２４】切替画面の一例を示す図である。
【図２５】切替画面の一例を示す図である。
【図２６】切替画面の一例を示す図である。
【発明を実施するための形態】
【０００９】
以下、本発明を実施するための形態について図面を参照しながら説明する。
【実施例１】
【００１０】
図１と図２は、本実施例における通信プラットフォームの切り替えを説明する図の一例である。図１では、通信ネットワーク２に伝送端末１０ａａ、１０ａｂ及び伝送管理システム５０が接続されている。伝送管理システム５０は伝送端末１０ａａと１０ａｂに対し両者の存在を互いに通知して（シグナリングして）、伝送端末１０ａａと１０ａｂに通信を開始させている。伝送端末１０ａａは他拠点の１０ａｂと例えばＷｅｂＲＴＣ（Web Real-Time Communication）というＡＰＩ（Application Interface）を用いて１対１（Peer To Peer）の通信態様で通信する。コンテンツデータＣＤ（画像データ及び音声データ）の送受信に伝送管理システム５０は関与しない。【００１１】
次に、図３、図４、図５に示すように、伝送端末１０ａａと１０ａｂの通信に伝送端末１０ａｃが加わったものとする。伝送管理システム５０は伝送端末１０ａｃの参加により、１つのテレビ会議に参加している端末数が３つになったため、Ｈ．３２３という通信規格を用いて通信する通信プラットフォーム（以下、通信ＰＦという）に切り替えると判断する。すなわち、伝送管理システム５０は中継装置３０を用いる通信ＰＦに切り替えて、中継装置３０がコンテンツデータＣＤを中継することで伝送端末１０ａａ、１０ａｂ、１０ａｃ間で通信させる。【００１２】
このように、本実施例の伝送システム１は、通信の開始後でも状況の変化に応じて適切な通信ＰＦに切り替える。【００１３】
図３、図４、図５は、伝送端末１０ａａに接続されたディスプレイ１２０ａａ（表示装置）に表示される切替画面を説明する図の一例である。図３は通信ＰＦを切り替える前の会議中画面６０２を、図４は通信ＰＦが切り替えられている間の切替画面６０１の一例を、図５は通信ＰＦを切り替えられた後の会議中画面６０２をそれぞれ示す。なお、ディスプレイ１２０ａｂに表示される画面も同じである。【００１４】
通信ＰＦの切り替え前は自分と相手の２拠点でテレビ会議が開催されているため、図３の会議中画面６０２では、領域６０２１に相手拠点の画像（送信画像）が表示され領域６０２２に自拠点の画像が表示される。そして、通信ＰＦの切り替えが始まり表示される図４の切替画面６０１では、「通信方式切替中」というメッセージ６０１１が表示されると共に、切り替えが進行していることを示すアイコン６０１２の着色部分が変化していく。通信ＰＦの切り替え後は自拠点を含め３拠点でテレビ会議が開催されている。このため、図５の会議中画面６０２では領域６０２１に相手拠点（例えば伝送端末１０ａｂ）の画像が表示され、領域６０２２に２つめの相手拠点（例えば伝送端末１０ａｃ）の画像が表示され、表域６０２３には自拠点の画像が表示される。【００１５】
したがって、本実施形態のテレビ会議システムでは、テレビ会議中に通信ＰＦが切り替えられ際にディスプレイ１２０ａａに切替画面６０１を表示するので、通信ＰＦの切り替え中であることをユーザが把握できる。
＜通信ＰＦ＞
本実施例で用いる通信ＰＦについて説明する。通信ＰＦとは、呼制御の方式、通信経路、及び、映像や音声の圧縮方式等の１つ以上を組み合わせて得られる通信のための基盤システムや仕組みをいう。例えば、図１の例では、ＷｅｂＲＴＣというＡＰＩを用いて呼制御し伝送端末１０が互いに通信する通信ＰＦが使用されている。図２では、伝送端末１０ａａ，１０ａｂ，１０ａｃがＨ．３２３という通信規格（呼制御が含まれる）で接続され中継装置３０を介して通信する通信ＰＦが使用されている。したがって、上記の例では呼制御と通信経路が切り替わっている。【００１６】
この他、通信ＰＦとなりうる要素には以下のようなものがある。ただし、これらには限られない。
・呼制御… (1)H.323（上記）、(2)ＷｅｂＲＴＣ（上記）、(3)SIP(Session Initiation Protocol)、(4)SIPを拡張したプロトコル、(5)インスタントメッセンジャーのプロトコル、(6)SIPのMESSAGEメソッドを利用したプロトコル、(7)インターネットリレーチャットのプロトコル(IRC(Internet Relay Chat))、(8)インスタントメッセンジャーのプロトコルを拡張したプロトコル等が挙げられる。
・通信経路…中継装置３０の有無、中継装置３０の切り替え、同じ中継装置３０内の機能（インタフェース）の切り替え等。
・映像圧縮方式…Ｈ．２６４、Ｈ．２６４／ＡＶＣ、Ｈ．２６４／ＳＶＣ、Ｈ．２６５／ＨＥＶＣ、ＭＰＥＧ４等。
・音声圧縮方式…Ｇ．７１１/Ｇ．７２２、Ｓｐｅｅｘ、Ｏｐｕｓ、ｉＳＡＣ／ｉＬＢＣ等。【００１７】
なお、映像圧縮方式と音声圧縮方式は独立に切り替えてもよいし、映像圧縮方式と音声圧縮方式はセットで切り替えられてもよい。例えば、呼制御や通信経路の切り替えが映像圧縮方式と音声圧縮方式の切り替えを伴う場合はセットで切り替えられる。呼制御や通信経路の切り替えが映像圧縮方式と音声圧縮方式の切り替えを伴わない場合は、映像圧縮方式と音声圧縮方式のどちらも切り替える必要はないし両方又は一方を切り替えてもよい。また、呼制御や通信経路に関係なく映像圧縮方式と音声圧縮方式のいずれかを独立に切り替えることも可能である。【００１８】
なお、呼制御の例えばＳＩＰはアプリケーション層の通信プロトコルに分類される場合がある。また、ＲＴＰ（Real-time Transport Protocol）、ＨＴＴＰ、ＨＴＴＰｓ、ＴＣＰ／ＩＰ、ＵＤＰ／ＩＰ等の通信プロトコルについても通信ＰＦの切り替えに伴い変更される場合がある。これらの通信プロトコルは、各呼制御に適切なものが用いられるため呼制御と共に切り替えられるとしてもよいし、呼制御が切り替わっても同じ通信プロトコルが使用されてもよい。
＜伝送システム１の構成例＞
図６は、本実施例に係る伝送システム１の一例の概略図である。伝送システム１は、伝送管理システム５０を介して複数の伝送端末間で情報や感情等を相互に伝達するためのコミュニケーションシステムである。伝送システム１には、テレビ会議システム、テレビ電話システム、音声会議システム、音声電話システム、ＰＣ（Personal Computer）画面共有システム、テキストチャットシステム等が例として挙げられる。また、伝送システム１には、伝送管理システム５０を介して一方の伝送端末から他方の伝送端末に一方向でコンテンツデータを伝送するデータ提供システムが含まれる。【００１９】
本実施例では、コミュニケーションシステムの一例としてのテレビ会議を行うことができるシステムを想定して説明する。【００２０】
図６に示されている伝送システム１は、複数の伝送端末（１０ａａ，１０ａｂ，・・・）、複数の携帯端末（２０ａａ，２０ａｂ，・・・）、各伝送端末（１０ａａ，１０ａｂ，・・・）用のディスプレイ（１２０ａａ，１２０ａｂ，・・・）、複数の中継装置（３０ａ，３０ｂ，・・・）、伝送管理システム５０、及び、プログラム提供システム９０によって構築されている。【００２１】
複数の伝送端末１０は、コンテンツデータの一例としての画像データ及び音声データの送受信を行う。すなわち、複数の伝送端末１０は、テレビ会議サービスを利用することができるテレビ会議端末である。本実施例では、伝送端末１０はテレビ会議に専用の端末であるとする。【００２２】
他方、複数の携帯端末２０は、コンテンツデータの一例としての画像データ及び音声データの送受信を行う。携帯端末２０はテキストデータを送受信可能であってもよい。すなわち、複数の携帯端末２０は、テレビ会議だけでなく、テキストチャットを利用できてもよい。本実施例では、携帯端末２０は、特に断らない限り、タブレット型端末、携帯電話、スマートフォン、ＰＤＡ（Personal Digital Assistant）、ウェアラブルＰＣ、ゲーム機器、汎用ＰＣ端末、カーナビゲーション端末、電子ホワイトボード、プロジェクタなどの投影装置などの汎用の携帯端末であるとする。なお、携帯端末２０は、例えば携帯電話通信網やＷｉＦｉ（Wireless Fidelity）などを介して通信ネットワーク２に無線で接続されている。【００２３】
後述するハードウェア構成から明らかなように伝送端末１０及び携帯端末２０は情報処理装置と称される。【００２４】
伝送端末１０及び携帯端末２０は、伝送システム１の呼制御を管理する伝送管理システム５０により管理される。【００２５】
なお、以下では、複数の伝送端末（１０ａａ，１０ａｂ，・・・）のうちの任意の伝送端末は「伝送端末１０」と表され、複数の携帯端末（２０ａａ，２０ａｂ，・・・）のうちの任意の携帯端末は「携帯端末２０」と表されている。ディスプレイ１２０、中継装置３０、ルータ７０についても同様とする。【００２６】
また、一方の伝送端末１０又は携帯端末２０から他方の伝送端末１０又は携帯端末２０へテレビ会議の開始を要求する端末は「要求元端末」と表され、要求先である宛先としての端末は「宛先端末」と表されている。【００２７】
また、伝送システム１において、要求元端末と宛先端末との間では、伝送管理システム５０を介して、各種の管理情報を送受信するための管理情報用セッションが確立される。また、要求元端末と宛先端末との間では、中継装置３０を介して、コンテンツデータを送受信するためのセッションが確立される。なお、コンテンツデータのセッションでは、必ず中継装置３０を介する必要はなく、伝送管理システム５０を介して通信してもよいし、要求元端末と宛先端末とが直接、通信してもよい。【００２８】
中継装置３０は、上記のように、複数の伝送端末１０と携帯端末２０との間で、コンテンツデータの中継を行う。【００２９】
伝送管理システム５０は、伝送端末１０及び携帯端末２０のログイン認証、通話状況の管理、宛先リストの管理、及び、中継装置３０に対しコンテンツデータの送信先を通知したり通話状況を管理させる等を行う。【００３０】
プログラム提供システム９０は、後述のＨＤ（Hard Disk）３０４に、伝送端末１０や携帯端末２０に各種機能を実現させるための端末用プログラムを記憶しており、伝送端末１０や携帯端末２０に端末用プログラムを送信することができる。プログラム提供システム９０はＨＤ３０４に、伝送管理システム５０に各種機能を実現させるための伝送管理用プログラムをも記憶しており、伝送管理システム５０に伝送管理用プログラムを送信することができる。【００３１】
伝送端末（１０ａａ，１０ａｂ，１０ａｃ，・・・）、中継装置３０ａ、及びルータ７０ａは、ＬＡＮ２ａによって通信可能に接続されている。伝送端末（１０ｂａ，１０ｂｂ，１０ｂｃ，・・・）、携帯端末（２０ａａ、２０ａｂ、…）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。また、携帯端末（２０ａａ，２０ａｂ，・・・）は、地域Ａで利用されている。【００３２】
一方、伝送端末（１０ｃａ，１０ｃｂ，１０ｃｃ，・・・）、中継装置３０ｃ、及びルータ７０ｃは、ＬＡＮ２ｃによって通信可能に接続されている。伝送端末（１０ｄａ，１０ｄｂ，１０ｄｃ，・・・）、携帯端末（２０ａｃ、２０ａｄ、…）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカ合衆国であり、ＬＡＮ２ｃはニューヨークの事業所内で構築されており、ＬＡＮ２ｄはワシントンＤ．Ｃ．の事業所内で構築されている。また、携帯端末（２０ａｃ，２０ａｄ，・・・）は、地域Ｂで利用されている。【００３３】
また、伝送管理システム５０及びプログラム提供システム９０は、インターネット２ｉを介して、伝送端末１０、携帯端末２０及び中継装置３０と通信可能に接続されている。伝送管理システム５０又はプログラム提供システム９０は、地域Ａ又は地域Ｂに設置されていてもよいし、これら以外の地域に設置されていてもよい。【００３４】
また、図６において、各伝送端末１０、各携帯端末２０、各中継装置３０、伝送管理システム５０、各ルータ７０、及び、プログラム提供システム９０の下に示されている４組の数字は、一般的なＩＰｖ４におけるＩＰアドレスを簡易的に示している。【００３５】
＜ハードウェア構成＞
<<伝送端末>>
次に、図７を用いて、伝送端末１０のハードウェア構成について説明する。図７は、本実施例に係る伝送端末のハードウェア構成図の一例である。図７に示されているように、本実施例の伝送端末１０は、伝送端末１０全体の動作を制御するＣＰＵ（Central Processing Unit）１０１を有する。また、ＩＰＬ（Initial Program Loader）等のＣＰＵ１０１の駆動に用いられるプログラムを記憶したＲＯＭ（Read Only Memory）１０２、及び、ＣＰＵ１０１のワークエリアとして使用されるＲＡＭ（Random Access Memory）１０３を有する。また、画像データ及び音声データ等の各種データを記憶するフラッシュメモリ１０４、及び、ＣＰＵ１０１の制御にしたがってフラッシュメモリ１０４に対する各種データの読み出し又は書き込みを制御するＳＳＤ（Solid State Drive）１０５を有する。また、フラッシュメモリ等の記録メディア１０６に対するデータの読み出し又は書き込み（記憶）を制御するメディアドライブ１０７、及び、伝送端末１０の宛先を選択する場合などに操作される操作ボタン１０８を有する。また、伝送端末１０の電源のＯＮ／ＯＦＦを切り換えるための電源スイッチ１０９、通信ネットワーク２を利用してデータ伝送をするためのネットワークＩ／Ｆ（Interface）１１１を備えている。【００３６】
また、伝送端末１０は、ＣＰＵ１０１の制御に従って被写体を撮像して画像データを得る内蔵型のカメラ１１２、このカメラ１１２の駆動を制御する撮像素子Ｉ／Ｆ１１３、及び、音声を入力する内蔵型のマイク１１４を有する。また、音声を出力する内蔵型のスピーカ１１５、及び、ＣＰＵ１０１の制御に従ってマイク１１４及びスピーカ１１５との間で音声信号の入出力を処理する音声入出力Ｉ／Ｆ１１６を有する。また、ＣＰＵ１０１の制御に従って外付けのディスプレイ１２０に画像データを伝送するディスプレイＩ／Ｆ１１７、及び、各種の外部機器を接続するための外部機器接続Ｉ／Ｆ１１８、認証受付Ｉ／Ｆ１１９を有する。また、上記各構成要素を図７に示されているように電気的に接続するためのアドレスバスやデータバス等のバスライン１１０を備えている。【００３７】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。伝送端末１０のディスプレイ１２０は、ケーブル１２０ｃによってディスプレイＩ／Ｆ１１７に接続されているが、これに限られず、ディスプレイ１２０は、伝送端末１０に内蔵されていてもよい。【００３８】
外部機器接続Ｉ／Ｆ１１８には、ＵＳＢ（Universal Serial Bus）ケーブル等によって、外付けカメラ、外付けマイク、及び外付けスピーカ等の外部機器がそれぞれ接続可能である。【００３９】
認証受付Ｉ／Ｆ１１９は、ユーザから認証情報の入力を受け付けるインタフェースであり、具体的には、ＩＣカードリーダや（例えばＮＦＣ（Near field communication））、ＳＤカードやＳＩＭカード等の読み取り器が該当する。【００４０】
携帯端末２０のハードウェア構成については伝送端末１０のハードウェア構成と重複している部分が多く、また、その相違があるとしても伝送システム１を構築する上で支障がないものとする。
＜＜伝送管理システム、中継装置、プログラム提供システム≫
次に、図８を用いて、伝送管理システム５０のハードウェア構成について説明する。図８は、本実施例に係る伝送管理システム５０のハードウェア構成図の一例である。【００４１】
なお、図示する伝送管理システム５０等のハードウェア構成は、１つの筐体に収納されていたりひとまとまりの装置として備えられていたりする必要はなく、伝送管理システム５０等が備えていることが好ましいハード的な要素を示す。また、クラウドコンピューティングに対応するため、本実施例の伝送管理システム５０等の物理的な構成は固定的でなくてもよく、負荷に応じてハード的なリソースが動的に接続・切断されることで構成されてよい。【００４２】
伝送管理システム５０は、伝送管理システム５０全体の動作を制御するＣＰＵ３０１、ＩＰＬ等のＣＰＵ３０１の駆動に用いられるプログラムを記憶したＲＯＭ３０２、及び、ＣＰＵ３０１のワークエリアとして使用されるＲＡＭ３０３を有する。また、伝送管理用プログラム等の各種データを記憶するＨＤ３０４、及び、ＣＰＵ３０１の制御にしたがってＨＤ３０４に対する各種データの読み出し又は書き込みを制御するＨＤＤ(Hard Disk Drive)３０５を有する。また、フラッシュメモリ等の記録メディア３０６に対するデータの読み出し又は書き込み（記憶）を制御するメディアドライブ３０７、カーソル、メニュー、ウィンドウ、文字、又は画像などの各種情報を表示するディスプレイ３０８を有する。また、通信ネットワーク２を利用してデータ伝送をするためのネットワークＩ／Ｆ３０９、及び、文字、数値、各種指示などの入力のための複数のキーを備えたキーボード３１１を有する。また、各種指示の選択や実行、処理対象の選択、カーソルの移動などを行うマウス３１２を有する。また、着脱可能な記録媒体の一例としてのＣＤ−ＲＯＭ(Compact Disc Read Only Memory)３１３に対する各種データの読み出し又は書き込みを制御するＣＤ−ＲＯＭドライブ３１４を有する。また、上記各構成要素を図８に示されているように電気的に接続するためのアドレスバスやデータバス等のバスライン３１０を備えている。【００４３】
また、中継装置３０及びプログラム提供システム９０は、上記の伝送管理システム５０と同様のハードウェア構成を有しているため、その説明を省略する。
＜機能構成＞
次に、図９を用いて、伝送端末１０，及び、伝送管理システム５０の機能構成について説明する。図９は、伝送端末１０，及び、伝送管理システム５０の機能ブロック図の一例である。なお、プログラム提供システム９０は、本実施例では直接関係ないため、図９では省略されている。また、携帯端末２０は伝送端末１０とほぼ同様の機能を備え、相違があるとしても本実施例を実現する上で支障がないものとする。
<<伝送端末の各機能構成>>
伝送端末１０は、送受信部１１、表示制御部１２、撮像部１３、音声入力部１４ａ、音声出力部１４ｂ、宛先リスト作成部１５、操作入力受付部１６、ログイン要求部１７、切替画像決定パラメータ測定部１８、切替画像決定部２１、及び、記憶・読出処理部１９を有している。【００４４】
伝送端末１０が有する各部は、図７に示されている各構成要素のいずれかが、フラッシュメモリ１０４からＲＡＭ１０３上に展開された端末用プログラム１１００に従ったＣＰＵ１０１からの命令によって動作することで実現される機能、又は機能される手段である。【００４５】
また、伝送端末１０は、図７に示されているフラッシュメモリ１０４によって構築される不揮発性記憶部１０００を有している。以下、不揮発性記憶部１０００に構築された各データベースについて説明する。【００４６】
【表１】
2016147855.tif 000003
不揮発性記憶部１０００には、表１に示されているような切替画像管理テーブルによって構成されている切替画像管理ＤＢ１００１が構築されている。切替画像管理テーブルでは、切替画像番号にファイル名が対応づけられている。ファイル名は切替画像を格納するファイルの名称である。なお、切替画像は表示用画像の一例である。切替画像は図２、図３、図４の切替画面６０１に表示される画像である。切替画像には静止画（*.jpg）と動画（*.mpeg）がある。なお、動画の場合、再生時間が異なる動画、ミュージシャンのプロモーションビデオ、ニュース、広告などが含まれうる。【００４７】
なお、切替画像の作成者は切替画像の他に音声データも用意しておくことができる。よって、動画の場合には切替画面６０１の表示中、例えば「現在、通信方式を切り替え中です」などの音声を伝送端末１０が再生できる。また、静止画の場合、切替画像と共に音声ファイルを切替画像番号に対応づけておくことで、伝送端末１０は音声を再生できる。【００４８】
【表２】
2016147855.tif 000004
不揮発性記憶部１０００には、表２に示されているような切替画像設定管理テーブルによって構成されている切替画像設定管理ＤＢ１００２が構築されている。切替画像設定管理テーブルには、後述する切替画像決定部２１が切替画像管理テーブルのどの切替画像を選択するかの条件が管理されている。切替画像設定管理テーブルには、管理番号に対応づけてネットワーク帯域（通信帯域）、会議参加拠点数、及び、切替画像番号が登録されている。大きなネットワーク帯域や少ない会議参加拠点数には静止画が、小さいネットワーク帯域や多くの会議参加拠点数には動画が対応づけられている。【００４９】
例えば、伝送端末１０が通信を行なっているネットワーク帯域が1000kbps以上で、会議に参加している拠点数が２拠点だった場合、後述する切替画像決定部２１は切替画像番号がi_001の切替画像を使用すると決定する。切替画像番号が決まるので切替画像決定部２１は切替画像管理テーブルから切替画像を読み出すことができる。【００５０】
ここでネットワーク帯域が挙げられているのは、ネットワーク帯域によって通信ＰＦの切り替えに要する時間が変わりやすいためである。また、会議参加拠点数が多いほどセッションを確立する時間が長くなる傾向がある。また、切り替え時間が長くても、動画であれば伝送端末１０が表示する切替画面に変化が生じるため、ユーザが通信や伝送端末１０の不具合でないことを理解しやすくなる。切り替え時間が短ければ、切替画面６０１の静止画が表示される時間もが短いのでユーザが不具合が生じたのかと誤解する前に通信ＰＦの切り替えが完了する（動画が表示されてもすぐに終了してしまうので却って違和感を感じやすくなる）。したがって、ネットワーク帯域と会議参加拠点数に応じて、静止画や動画を切り替えることで、伝送端末１０は通信ＰＦの切り替え中であることをより適切にユーザに通知できる。【００５１】
なお、表２では切替画像を決定するためのパラメータとして、ネットワーク帯域と会議参加拠点数を例として挙げているが、どの切替画像に決定するかのパラメータはこれらに限定されない。この他、通信ＰＦの切り替えに要する時間に影響（相関）するパラメータ（伝送管理システム５０の負荷レベルなど）が切替画像設定管理テーブルに登録されていてよい。【００５２】
また、不揮発性記憶部１０００には、端末用プログラム１１００が記憶されている。端末用プログラム１１００はプログラム提供システム９０から配信される他、インストール可能な形式又は実行可能な形式のファイルで、上記記録メディア１０６等のコンピュータで読み取り可能な記録媒体に記録して流通させるようにしてもよい。
（伝送端末の機能）
伝送端末１０の送受信部１１は、図７に示されているＣＰＵ１０１からの命令、及び図７に示されているネットワークＩ／Ｆ１１１によって実現され、通信ネットワーク２を介して他の伝送端末１０、伝送管理システム５０，及び中継装置３０等と各種データの送受信を行う。【００５３】
送受信部１１にはα用機能部１１ａとβ用機能部１１ｂが接続されている。α用機能部１１ａはαの通信ＰＦに必要な処理を行い、β用機能部１１ｂはβの通信ＰＦに必要な処理を行う。α用機能部１１ａは、例えば、ＷｅｂＲＴＣで用いられるグローバルＩＰアドレスとポート番号を宛先に通信を行い、β用機能部１１ｂは、中継装置３０のＩＰアドレス（グローバルＩＰアドレスでもプライベートＩＰアドレスでもよい）を宛先に通信を行う。また、αの通信ＰＦとβの通信ＰＦの通信プロトコルが異なる場合は、α用機能部１１ａはαの通信ＰＦに用いられる通信プロトコルで通信し、β用機能部１１ｂはβの通信ＰＦに用いられる通信プロトコルで通信する。さらに、αの通信ＰＦとβの通信ＰＦの映像や音声の圧縮方式が異なる場合、α用機能部１１ａはαの通信ＰＦに用いられる圧縮方式で圧縮された映像や音声を圧縮・伸張する。β用機能部１１ｂはβの通信ＰＦに用いられる圧縮方式で圧縮された映像や音声を圧縮・伸張する。【００５４】
表示制御部１２は、図７に示されているＣＰＵ１０１からの命令、及び図７に示されているディスプレイＩ／Ｆ１１７によって実現され、外付けのディスプレイ１２０に対して画像データを送信（出力）するための制御を行う。【００５５】
撮像部１３は、図７に示されているＣＰＵ１０１からの命令、及びカメラ１１２及び撮像素子Ｉ／Ｆ１１３によって実現され、被写体を撮像して、この撮像して得た画像データを出力する。【００５６】
音声入力部１４ａは、図７に示されているＣＰＵ１０１からの命令、及び音声入出力Ｉ／Ｆ１１６によって実現され、マイク１１４によってユーザの音声が音声信号に変換された後、この音声信号に係る音声データを入力する。【００５７】
音声出力部１４ｂは、図７に示されているＣＰＵ１０１からの命令、及び音声入出力Ｉ／Ｆ１１６によって実現され、音声データに係る音声信号をスピーカ１１５に出力し、スピーカ１１５から音声を出力させる。【００５８】
宛先リスト作成部１５は、図７に示されているＣＰＵ１０１からの命令によって実現され、伝送管理システム５０から受信した宛先状態情報（宛先候補端末及び宛先候補の伝送端末１０及び携帯端末２０の稼動状態）に基づいて、宛先リストの作成及び更新を行う。【００５９】
操作入力受付部１６は、図７に示されているＣＰＵ１０１からの命令、操作ボタン１０８及び電源スイッチ１０９によって実現され、ユーザによる各種入力を受け付ける。例えば、ユーザが、図７に示されている電源スイッチ１０９をＯＮにすると、操作入力受付部１６が電源ＯＮを受け付けて電源をＯＮにする。【００６０】
ログイン要求部１７は、図７に示されているＣＰＵ１０１からの命令によって実現され、上記電源ＯＮの受け付けを契機として伝送管理システム５０に、ログインを要求する旨を示すログイン要求情報、及び要求元端末の現時点のＩＰアドレスを自動的に送信する。ユーザの認証操作を契機としてもよい。また、送信時は、送受信部１１が通信ネットワーク２を介して送信する。【００６１】
切替画像決定パラメータ測定部１８は、切替画像決定部２１が切替画像を選択するためのパラメータを測定する。パラメータは例えばネットワーク帯域や会議参加拠点数である。【００６２】
切替画像決定部２１は図７に示されているＣＰＵ１０１からの命令によって実現され、通信ＰＦが切り替えられる際、切り替えの開始から終了までの間に伝送端末１０のディスプレイ１２０に表示する切替画像を決定する。【００６３】
記憶・読出処理部１９は、図７に示されているＣＰＵ１０１からの命令、及び図７に示すＳＳＤ１０５によって実現され、不揮発性記憶部１０００に各種データを記憶したり、不揮発性記憶部１０００に記憶された各種データを読み出したりする処理を行う。この不揮発性記憶部１０００には、通信先としての伝送端末１０の端末又はユーザを識別するための通信ＩＤ（Identification）、タイプ識別情報（伝送端末１０や携帯端末２０の区別を示す情報）、及びパスワード等が記憶される。なお、通信ＩＤ及びパスワードは不揮発性記憶部１０００に記憶されていなくてもよく、例えば伝送管理システム５０に対してログイン要求を行う際に都度、ユーザが入力するようにしてもよい。【００６４】
なお、本実施例の通信ＩＤは、それぞれ伝送端末若しくはこの伝送端末を利用するユーザを一意に識別するために使われる言語、文字、記号、又は各種のしるし等の識別情報を示す。また、通信ＩＤ及び中継装置ＩＤは、上記言語、文字、記号、及び各種のしるしのうち、少なくとも２つが組み合わされた識別情報であってもよい。
<<伝送管理システムの機能構成>>
伝送管理システム５０は、送受信部５１、ＰＦ切替判定部５２、認証部５３、セッション管理部５４、通信状況検出部５５、及び、記憶・読出処理部５９を有している。これら各部は、図８に示されている各構成要素のいずれかが、ＨＤ３０４からＲＡＭ３０３上に展開されたに従ったＣＰＵ３０１からの命令によって動作することで実現される機能又は機能される手段である。また、伝送管理システム５０は、伝送管理システム５０の電源をＯＦＦにしても各種データ（または情報）の記憶が維持される不揮発性記憶部５０００を有しており、この不揮発性記憶部５０００は図８に示されているＨＤ３０４により構築されている。【００６５】
【表３】
2016147855.tif 000005
不揮発性記憶部５０００には、表３に示されているようなセッション管理テーブルによって構成されているセッション管理ＤＢ５００１が構築されている。このセッション管理テーブルでは、中継装置３０を選択するためのセッションの実行に用いられるセッションＩＤ毎に、通信ＰＦ、データの中継に使用される中継装置３０の中継装置ＩＤ、要求元端末の通信ＩＤ、宛先端末の通信ＩＤ及び会議ＩＤが関連付けられて管理される。なお、中継装置３０が用いられない場合、中継装置ＩＤには何も登録されない。【００６６】
【表４】
2016147855.tif 000006
不揮発性記憶部５０００には、表４に示されているような宛先情報を管理する宛先リスト管理テーブルによって構成されている宛先リスト管理ＤＢ５００２が構築されている。宛先リスト管理テーブルでは、テレビ会議における接続の開始（発呼）を要求する要求元端末の通信ＩＤに対して、全ての宛先候補の伝送端末１０又は携帯端末２０の通信ＩＤが関連付けられて管理される。この宛先候補の通信ＩＤは、要求元端末が通信を開始できる伝送端末１０又は携帯端末２０である。【００６７】
【表５】
2016147855.tif 000007
不揮発性記憶部５０００には、表５に示されているような端末管理テーブルによって構成されている端末管理ＤＢ５００３が構築されている。この端末管理テーブルでは、伝送端末１０の通信ＩＤ毎に、各伝送端末の稼動状態、各通信ＩＤを宛先とした場合の名称、及び、端末のＩＰアドレス、が関連付けられて管理される。【００６８】
【表６】
2016147855.tif 000008
不揮発性記憶部５０００には、表６に示されているような認証管理テーブルによって構成されている認証管理ＤＢ５００４が構築されている。この認証管理テーブルでは、伝送端末１０又はユーザの通信ＩＤ毎に、各伝送端末１０又はユーザのパスワードが関連付けられて管理される。【００６９】
【表７】
2016147855.tif 000009
不揮発性記憶部５０００には、表７に示されているようなＰＦ判定テーブルによって構成されているＰＦ判定管理ＤＢ５００５が構築されている。このＰＦ判定テーブルでは、拠点数に応じて通信ＰＦが関連付けられて管理される。本実施例ではαの通信ＰＦはＷｅｂＲＴＣを用いた通信を意味し、βの通信ＰＦは中継装置３０を介する通信を意味する（Ｈ．３２３を呼制御とする通信）。【００７０】
また、不揮発性記憶部５０００には、伝送管理用プログラム５１００が記憶されている。伝送管理用プログラム５１００は、プログラム提供システム９０から配信される。また、インストール可能な形式又は実行可能な形式のファイルで、上記記録メディア３０６やＣＤ−ＲＯＭ３１３等のコンピュータで読み取り可能な記録媒体に記録して流通させるようにしてもよい。
<<伝送管理システムの各機能構成>>
次に、伝送管理システム５０の各機能構成について詳細に説明する。送受信部５１は、図８に示されているＣＰＵ３０１からの命令、及び図８に示されているネットワークＩ／Ｆ３０９によって実現され、通信ネットワーク２を介して伝送端末１０や中継装置３０と各種データ（または情報）の送受信を行う。【００７１】
認証部５３は、図８に示されているＣＰＵ３０１からの命令等によって実現される。認証部５３は、送受信部５１を介して受信されたログイン要求情報に含まれている通信ＩＤ及びパスワードの組み合わせが認証管理ＤＢ５００４に登録されているものと一致するか否かに応じて伝送端末１０又はユーザを認証する。なお、認証方法はこれに限られず、クライアント証明書（公開鍵と秘密鍵を用いた認証方法）を用いてもよい。【００７２】
セッション管理部５４は、図８に示されているＣＰＵ３０１からの命令によって実現される。セッション管理部５４は、認証部５３により認証が成立した伝送端末１０から宛先端末との接続を要求されると（開始要求情報を取得すると）、セッション管理ＤＢ５００１に、通信ＰＦ、コンテンツデータを中継する中継装置３０の中継装置ＩＤ（中継装置３０が中継する場合）、セッションＩＤ、要求元端末の通信ＩＤ、宛先端末の通信ＩＤ及び会議ＩＤを関連付けて記憶して管理する。なお、セッション管理部５４は通信ＰＦごとに適切なセッションを確立するが詳細は後述する。【００７３】
通信状況検出部５５は、図８に示されているＣＰＵ３０１からの命令によって実現され、伝送端末１０同士及び伝送端末１０と伝送管理システム５０間の通信状況を検出する。本実施例の通信状況の一例としてはネットワーク帯域や拠点数（会議参加拠点数）が上げられる。【００７４】
ＰＦ切替判定部５２は、図８に示されているＣＰＵ３０１からの命令によって実現され、通信状況に応じてＰＦ判定テーブルを参照して適切な通信ＰＦを選択する（決定する）。通信ＰＦの決定や切り替えの判断について詳細は後述する。通信ＰＦを切り替えると判断した場合、セッション管理部５４に切り替え後の通信ＰＦを通知してセッションの確立を要求する。【００７５】
記憶・読出処理部５９は、図８に示されているＣＰＵ３０１からの命令、及び図８に示されているＨＤＤ３０５によって実現され、不揮発性記憶部５０００に各種データを記憶したり、不揮発性記憶部５０００に記憶された各種データを読み出したりする処理を行う。
<<通信ＰＦに応じたセッションの確立について>>
まず、αの通信ＰＦで用いられるＷｅｂＲＴＣのセッションの確立について簡単に説明する。ＷｅｂＲＴＣでは例えばブラウザ（あるいはこれと同等の機能を持つアプリ）同士がサーバを介さずに通信する。しかし、通信相手を特定する処理（シグナリング）が必要であるため、伝送管理システム５０は端末管理テーブルで伝送端末１０の稼動状態を管理していることを利用して一方のユーザが宛先となる他方のユーザを特定することを可能にする。例えば後述の宛先リスト画面により宛先のユーザを特定できる。互いに通信する２つの伝送端末１０を特定できると、セッション管理部５４はＳＴＵＮサーバとして機能する。そして、相手側の伝送端末１０が配置されている社内ネットワークや家庭内ネットワークのＮＡＴ（Network Address Translation）装置の外側のグローバルＩＰアドレスとポート番号を伝送端末１０ａａと１０ａｂに通知する。伝送端末１０ａａと１０ａｂは相手のグローバルＩＰアドレスとポート番号が分かるのでＮＡＴ装置を超えて１対１の通信が可能になる。【００７６】
次に、βの通信ＰＦで用いられるセッションの確立について簡単に説明する。伝送管理システム５０にログインした伝送端末１０の稼動状態が端末管理テーブルにて管理されるまでは同じである。この後、例えば伝送端末１０ａａのユーザが通信相手として伝送端末１０ａｂを伝送管理システム５０に通知すると、セッション管理部５４は適切な中継装置３０を選択する。中継装置３０をどのように選択するかは種々の方法が考えられるが、本実施例では中継装置３０から伝送端末１０までの伝送の遅延時間などが考慮される。【００７７】
セッション管理部５４は中継装置３０を決定すると１つのテレビ会議で通信する伝送端末１０ａａ、１０ａｂの通信ＩＤを中継装置３０に通知する。セッション管理部５４又は中継装置３０はこれらにセッションＩＤを採番すると共に同じ会議に参加するものとして会議ＩＤを割り当てる。また、セッション管理部５４は伝送端末１０ａａ、１０ａｂに中継装置３０のＩＰアドレスを通知する。伝送端末１０ａａ、１０ａｂが通信ＩＤと共に中継装置３０に接続すると、中継装置３０は通信ＩＤに基づいて同じテレビ会議に参加している伝送端末１０ａａ、１０ａｂにコンテンツデータを中継する。
＜伝送端末１０の通信処理＞
図１０を用いて伝送端末１０ａａと１０ａｂがセッションを確立する手順を説明する。図１０は、伝送端末１０ａａと１０ａｂがセッションを確立する手順を示すシーケンス図の一例である。なお、本実施例では、２つ伝送端末１０がテレビ会議を開始する場合には、αの通信ＰＦを使用するものとする。しかし、例えばユーザが３人以上でテレビ会議を行う予定がある場合などに伝送システム１が対応するために、ユーザが指定した通信ＰＦでテレビ会議を開始してもよい。ユーザはβの通信ＰＦを伝送管理システム５０に指定することで、βの通信ＰＦでテレビ会議を開始できる。
S1：ユーザが電源スイッチ１０９をＯＮにすると、操作入力受付部１６が電源ＯＮを受け付けて、電源をＯＮにする。
S2：ログイン要求部１７は上記電源ＯＮを契機とし、送受信部１１から通信ネットワーク２を介して伝送管理システム５０にログイン要求を示すログイン要求情報を自動的に送信する。ログイン要求は電源ＯＮ時だけでなくユーザ操作によって任意のタイミングで送信されることができる。ログイン要求情報には、要求元である伝送端末１０ａａを識別するための通信ＩＤ、及びパスワードが含まれている。なお、伝送端末１０ａａから伝送管理システム５０へログイン要求情報が送信される際、受信側である伝送管理システム５０は、伝送端末１０ａａのＩＰアドレス（グローバルＩＰアドレス）を把握することができる。
S3：伝送管理システム５０の認証部５３は、送受信部５１を介して受信したログイン要求情報に含まれている通信ＩＤ及びパスワードと同一の通信ＩＤ及びパスワードが認証管理テーブルで管理されているかを判断することによって端末認証を行う。
S4：認証部５３によって伝送端末１０ａａの認証が成立した場合、セッション管理部５４は宛先管理テーブルから伝送端末１０ａａが宛先候補とする宛先端末の通信ＩＤを読み出し、宛先端末の稼動状態を端末管理テーブルから読み出す。本処理では宛先端末である伝送端末１０ａｂはオンラインであるとする。
S5：次に、送受信部５１は、宛先候補の各伝送端末の通信ＩＤと稼動状態とが含まれた宛先状態情報を、通信ネットワーク２を介して伝送端末１０ａａに送信する。宛先状態情報には、端末管理テーブルに登録されている名称が含まれる。これにより、伝送端末１０ａａは、伝送端末１０ａａと通信することができる宛先リストの伝送端末１０ａｂの現時点の稼動状態を把握することができる。
S6：なお、送受信部５１はログイン要求してきた伝送端末１０ａａの通信ＩＤとその稼動状態を、伝送端末１０ａａを宛先リストに含める伝送端末（ここでは伝送端末１０ａｂ）に送信する。これにより、宛先リストに登録されている宛先候補の伝送端末１０が互いに相手の稼動状態を把握できる。
S7：伝送端末１０ａａの宛先リスト作成部１５は、宛先状態情報を受け取ると、宛先リストを作成し、ディスプレイ１２０に表示させる。伝送端末１０ａａのユーザは宛先リスト画面から通信の開始を要求する通信ＩＤを選択することができる。本実施例では伝送端末１０ａｂが選択されたものとする。
S8：ユーザが宛先を選択して通信の開始を要求すると、伝送端末１０ａａの送受信部１１は、開始要求情報を伝送管理システム５０へ送信する。開始要求情報には要求元通信ＩＤと宛先通信ＩＤが含まれる。また、これにより、伝送管理システム５０の送受信部５１は要求元端末１０ａａのＩＰアドレスを把握することになる。
S9：伝送管理システム５０のセッション管理部５４は、セッションを確立するための処理を行う。すなわち、セッション管理テーブルにセッションＩＤ、通信ＰＦ、要求元通信ＩＤ、宛先通信ＩＤ及び会議ＩＤを登録する。また、端末管理テーブルの伝送端末１０ａａと１０ａｂに対応づけて、稼動状態を「通信中」に設定する。
S10、S11：伝送管理システム５０のセッション管理部５４は、上記したＮＵＴ越えのために伝送端末１０ａａと１０ａｂにそれぞれ相手のグローバルＩＰアドレスとポート番号を通知する。
S12：これにより、伝送端末１０ａａと１０ａｂはαの通信ＰＦで通信を開始できる。
<<通信ＰＦの切替>>
次に、図１１を用いて通信ＰＦの切り替え手順について説明する。図１１は、通信ＰＦの切り替え手順を示すシーケンス図の一例である。切り替え前、伝送端末１０ａａと１０ａｂはαの通信ＰＦで通信しており、会議中画面６０２を表示している。
S1：伝送端末１０ａｃは伝送端末１０ａａ、１０ａｂと同様に伝送管理システム５０にログインし、宛先リストを表示する。これにより、伝送端末１０ａｃは伝送管理システム５０に対し伝送端末１０ａａを宛先端末とする開始要求情報を送信する。なお、伝送端末１０ａａがセッションＩＤを通知することで伝送端末１０ａｃをテレビ会議に招待してもよい。
S2：伝送端末１０ａｃの送受信部１１は、開始要求情報を伝送管理システム５０へ送信する。開始要求情報には要求元通信ＩＤと宛先通信ＩＤが含まれる。また、これにより、伝送管理システム５０の送受信部５１は要求元端末１０ａｃのＩＰアドレスを把握することになる。
S3：伝送管理システム５０のＰＦ切替判定部５２は、通信状況検出部５５が検出する通信状況に基づき通信ＰＦを切り替えるか否かを判定する。伝送端末１０ａｃからの開始要求情報により伝送端末１０ａｃと伝送端末１０ａａは同じテレビ会議に参加することが分かる。また、すでに伝送端末１０ａａとテレビ会議している伝送端末１０ａｂをセッション管理テーブルの会議ＩＤに基づいてカウントする。よって拠点数は３に増える。ＰＦ判定テーブルによれば拠点数が３以上の場合、通信ＰＦをβに切り替えると判断される。なお、図１６では伝送端末１０ａｃがαの通信ＰＦで通信する前に通信ＰＦが切り替えられているが、伝送端末１０ａｃがαの通信ＰＦでテレビ会議に参加した後に通信ＰＦが切り替えられてもよい。
S4、S5：ＰＦ切替判定部５２は送受信部５１を介して切替開始通知を伝送端末１０ａａと１０ａｂに送信する。
S6,S7：伝送端末１０ａａ、１０ａｂは会議中画面６０２の表示を終了させて切替画面６０１を表示する処理を行う。この処理については後述する。
S8：次に、セッション管理部５４はセッション管理テーブルを更新する。表６に更新後のセッション管理テーブルを示す。【００７８】
【表８】
2016147855.tif 000010
すなわち、通信ＰＦをαからβに変更し、βの通信ＰＦに必要な中継装置３０を決定し中継装置ＩＤに登録する。また、伝送端末１０ａａと１０ａｃのセッションにおけるセッションＩＤ、通信ＰＦ、中継装置ＩＤ、要求元通信ＩＤ、宛先通信ＩＤ及び会議ＩＤを登録する。なお、伝送端末１０ａａと１０ａｂのセッションについては表８のようにセッションをそのまま移行するのでなく、新たなセッションＩＤ等を作成してもよい。また、各通信ＰＦに適したフォーマットのセッション管理テーブルを用意しておき、切り替え後の通信ＰＦに応じたフォーマットのセッション管理テーブルにセッションＩＤ等を登録してもよい。
S9：セッション管理部５４は伝送端末１０ａａ、１０ａｂ、１０ａｃの通信ＩＤと共に中継装置３０に中継開始を要求する。これにより、中継装置３０は、伝送端末１０ａａ、１０ａｂ、１０ａｃが１つのテレビ会議に参加しており、例えば伝送端末１０ａａから送信されたコンテンツデータを伝送端末１０ａｂ、１０ａｃに中継できる。
S10,11：伝送管理システム５０のＰＦ切替判定部５２は通信プラットフォーム切替指示を伝送端末１０ａａ、１０ａｂに通知する。これにより、伝送端末１０ａａ及び伝送端末１０ａｂに切り替え後の通信ＰＦが通知される。
S12,13：伝送管理システム５０のＰＦ切替判定部５２は中継装置３０のＩＰアドレスを伝送端末１０ａａ、１０ａｂに通知する。これにより、伝送端末１０ａａ及び伝送端末１０ａｂは中継装置３０にコンテンツデータを送信できる。
S14,15：伝送端末１０ａａは通信ＰＦを切り替え、伝送端末１０ａｂは通信ＰＦを切り替える。すなわち、伝送端末１０ａａと１０ａｂは送受信部１１とα用機能部１１ａによる通信から、送受信部１１とβ用機能部１１ｂによる通信に切り替える。
S16：以上で、伝送端末１０ａａ及び伝送端末１０ａｂが中継装置３０を介してコンテンツデータの送受信が可能となるセッションが確立された。中継装置３０（伝送端末１０ａａ及び伝送端末１０ａｂでもよい）は伝送管理システム５０にセッション確立を通知することで、伝送管理システム５０は会議中画面６０２に切り替えてよいと判断できる。
S17、S18：伝送管理システム５０のＰＦ切替判定部５２は切替終了通知を伝送端末１０ａａ、１０ａｂに通知する。これにより、伝送端末１０ａａ、１０ａｂは切替画面６０１から会議中画面６０２に切り替える。
S19：次に、伝送管理システム５０のＰＦ切替判定部５２は中継装置３０のＩＰアドレスと通信ＰＦを伝送端末１０ａｃに通知する。これにより、伝送端末１０ａｃは、送受信部１１とβ用機能部１１ｂを用いて中継装置３０にコンテンツデータを送信できる。
S20：以上で、伝送端末１０ａａ及び伝送端末１０ａｃが中継装置３０を介してコンテンツデータの送受信が可能となるセッションが確立された。【００７９】
なお、図１１では、伝送管理システム５０が切替終了通知を伝送端末１０ａａ、１０ａｂに通知しているが、伝送端末１０ａａ、１０ａｂが通信ＰＦの切り替えの終了を検出してもよい。例えば、伝送端末１０ａａ、１０ａｂは中継装置３０を介した通信が可能となることで通信ＰＦの切り替えの終了を検出できる。【００８０】
また、会議中画面６０２から切替画面６０１への切り替え、及び、切替画面６０１から会議中画面６０２への切り替えのタイミングはあくまで一例に過ぎない。図１１では、通信ＰＦが切り替わった伝送端末１０から順次、切替画像の表示を止め会議中画像を再表示している。すなわち、伝送端末１０ごとに会議中画像が再表示されるタイミングが異なっている。この方法では、各伝送端末１０が切替画像を表示している時間を短くできる。【００８１】
これに対し、伝送管理システム５０が全ての伝送端末１０との間でセッションを確立し終わった時に、各伝送端末１０に切替終了通知を送信してもよい。これにより、各伝送端末１０が切替画面６０１を表示している時間が長くなる可能性があるが、全ての伝送端末１０がほぼ同時に切替画面６０１から会議中画面６０２に切り替えるので、各拠点のユーザはいっせいにテレビ会議を始めることができる。【００８２】
また、通信ＰＦの切り替えが終了しても、伝送端末１０は切替画面６０１から会議中画面６０２への切り替えを行わなくてもよい。例えば、ユーザにとって有用な切替画面６０１が再生されている場合、ユーザは伝送端末１０を操作して切替画面６０１の表示を継続させることができる。
<<切替画面を表示する処理>>
続いて、図１１のステップＳ６，７において伝送端末１０が会議中画面６０２の表示を終了させて切替画面６０１を表示する処理について説明する。図１２は、伝送端末１０が会議中画面６０２の表示を終了させて切替画面６０１を表示する処理の手順を示すフローチャート図の一例である。図１２の処理は、会議中画面６０２の表示中、実行される。【００８３】
まず、切替画像決定部２１は、通信ＰＦを切り替えるか否かを判定する（Ｓ１０）。すなわち、伝送管理システム５０から切替開始通知が送信されたか否かを判定する。切替開始通知が送信されなければ伝送端末１０は何もしない。【００８４】
切替開始通知が送信された場合（Ｓ１０のＹｅｓ）、伝送端末１０の切替画像決定パラメータ測定部１８は切替画像を選択するためのパラメータを測定する（Ｓ２０）。切替画像決定パラメータ測定部１８は伝送管理システム５０にパラメータの測定用のデータを送信するなどしてネットワーク帯域を測定する。また、通信ＰＦがＷｅｂＲＴＣ（Ｐ２Ｐ）の場合、会議参加拠点数は伝送端末１０が画像と音声を送信する拠点（伝送端末１０）の数なので伝送端末１０にとって既知である。あるいは、伝送管理システム５０に自分と同じ会議ＩＤの伝送端末１０の数を問い合わせてもよい。【００８５】
なお、切替開始通知が送信された段階で伝送端末１０は会議中画面６０２に重畳して「これから通信プラットフォームを切り替えます」などのメッセージをディスプレイ１２０に表示してもよい。これにより、会議中画面６０２から切替画面６０１に切り替わるまでの告知期間を設けることができる。【００８６】
伝送端末１０の切替画像決定部２１は、例えばネットワーク帯域と会議参加拠点数に基づき切替画像設定管理テーブルを参照し、切替画像番号を決定する（Ｓ３０）。【００８７】
そして、伝送端末１０の切替画像決定部２１は、切替画像管理テーブルから、ステップＳ３０で決定した切替画像番号のファイルを読み出す（Ｓ４０）。【００８８】
伝送端末１０の表示制御部１２は図１３、図１４、図１５に示すような切替画面６０１をディスプレイ１２０に表示する（Ｓ５０）。これにより、ネットワーク帯域と会議参加拠点数に対し適切な切替画面６０１を表示できる。【００８９】
切替画面６０１の表示後、伝送端末１０の切替画像決定部２１は通信ＰＦの切り替えが終了したか否かを判定する（Ｓ６０）。すなわち、伝送管理システム５０から切替終了通知を取得したか、又は、中継装置３０を介した相手の伝送端末１０とのセッションが確立したか否か等を判定する。【００９０】
通信ＰＦの切り替えが終了した場合（Ｓ６０のＹｅｓ）、表示制御部１２は切替画面６０１の表示を終了して会議中画面６０２の表示を再開する（Ｓ７０）。【００９１】
図１３は、切替画像の一例を示す図である。この切替画像を切替画面６０１と称してもよい。図１３の切替画像（切替画面６０１と称してもよい）は動画のある一場面である。この切替画像は「通信方式切替中」というメッセージ６０１１、及び、切り替えが進行していることを示すアイコン６０１２を有する。動画であるため、アイコン６０１２の着色部分が時間と共に変化していく。このような動画の切替画像は、通信ＰＦの切り替えに要する時間よりも十分に長めに作成されていてもよいし、通信ＰＦの切り替えの間、表示制御部１２が同じ切替画像を繰り返し再生してもよい。静止画で実現するには、アイコン６０１２の着色部分が異なる６つの静止画（アイコンの三角形の数だけ）を用意しておき、表示制御部１２が時間と共に切り替えてディスプレイ１２０に表示してもよい。【００９２】
また、「通信方式切替中」というメッセージ６０１１に加えて、どの通信ＰＦからどの通信ＰＦに切り替えられているのかを表示してもよい。これにより、どのような通信ＰＦに切り替わるかをユーザに知らせることができるので、ユーザによっては画質や音声がどのように変化するかを予測できる。【００９３】
また、静止画の切替画像では、切り替えに要する時間が長いほど情報量が多い静止画が選択される。図１４は切り替えに要する時間が短い場合に表示される切替画像の一例であり、図１５は切り替えに要する時間が長い場合に表示される切替画像の一例である。切り替えに要する時間が長い場合には情報量を多くすることで切替時間が長いとユーザが感じることを和らげる効果が得られる。また、図１５のＵＲＬ６０１９のように多くの情報をユーザに与えることができる。【００９４】
以上説明したように、本実施例の伝送システム１はテレビ会議中に通信ＰＦを切り替えている間、ディスプレイ１２０に切替画面６０１を表示するので、伝送システム１がどのような状態かをユーザが把握しやすくすることができる。例えば、切替時間が長い場合に長い動画を表示したり、切替時間が長い場合にはニュースやプロモーションビデオを流すことも可能になる。また、無料のユーザには広告を表示させサービス提供者が伝送システム１の料金を回収することを可能にしてもよい。
＜変形例＞
なお、本実施例では切替画面６０１で表示される静止画又は動画が複数用意されているため、切替画像を選択するためのパラメータが測定されているが、静止画又は動画に関わりなく切替画像が１つしか用意されていなければ、パラメータの測定は必要ない。この場合の図１２に相当するフローチャート図を図１６に示す。図１６は、伝送端末１０が会議中画面６０２の表示を終了させて切替画面６０１を表示する処理の手順を示すフローチャート図の一例である。図１６では、切替画像決定パラメータ測定部１８がパラメータを測定するステップＳ２０、切替画像決定部２１が切替画像を決定するステップＳ３０の処理がない。しかし、切替画像も１つしかないため切替画像への切り替えに支障はない。【００９５】
あるいは、複数の切替画像が用意されていても、切替画像決定部２１が不作為に切替画像を決定するのであれば、切替画像への切り替えに支障はない。
【実施例２】
【００９６】
本実施例では通信ＰＦの切り替えに要した時間に基づいて切替画像を決定する伝送端末１０について説明する。【００９７】
図１７は本実施例における伝送端末１０の機能ブロック図の一例である。なお、伝送管理システム５０については実施例１の図９と同じであるため省略した。本実施例において、図９において同一の符号を付した構成要素は同様の機能を果たすので、主に本実施例の主要な構成要素についてのみ説明する場合がある。【００９８】
まず、本実施例の切替画像設定管理ＤＢ１００２について説明する。【００９９】
【表９】
2016147855.tif 000011
不揮発性記憶部１０００には、表９に示されているような切替画像設定管理テーブルによって構成されている切替画像設定管理ＤＢ１００２（切替時間記憶手段の一例）が構築されている。表９の切替画像設定管理テーブルの機能は表２の切替画像設定管理テーブルと同様である。表９の切替画像設定管理テーブルには、管理番号に対応づけて切替時間及び切替画像番号が登録されている。【０１００】
この切替画像設定管理テーブルでは、通信ＰＦの切り替えにかかった時間（切替時間）に切替画像番号が対応づけて管理されている。したがって、本実施例の切替画像決定部２１は通信ＰＦの切替時間（測定済みの過去の切替時間）に基づいて切替画像を決定できる。【０１０１】
【表１０】
2016147855.tif 000012
不揮発性記憶部１０００には、表１０に示されているような切替履歴管理テーブルによって構成されている切替履歴管理ＤＢ１００３が構築されている。切替履歴管理テーブルには、通信ＰＦの切り替えを行なった切替日時に対応づけて切替時間を管理されている。なお、切替日時はなくてもよいが、切替日時が記録されていることで例えば過去１週間、過去の同じ曜日、同じ時間帯などの切替時間を参照できる。【０１０２】
次に、伝送端末１０の機能について説明する。図１７に示すように、本実施例の伝送端末１０は切替履歴処理部２２を有している。切替履歴処理部２２は、図７に示されているＣＰＵ１０１からの命令によって実現され、通信ＰＦの切り替えに要した切替時間を切替日時と対応づけて切替履歴管理ＤＢ１００３に記憶させる。切替時間は、例えば、図１１のシーケンス図のステップＳ４の切替開始通知からステップＳ１８の切替終了通知までの時間、又は、図１１のシーケンス図のステップＳ４の切替開始通知からステップＳ２０のセッション確立までの時間、である。この他、例えば、切替画面６０１を表示してから終了させるまでの時間でもよいし、会議中画面６０２の表示を終了してから会議中画面６０２を再表示するまでの時間でもよい。また、伝送管理システム５０が測定した切替時間を伝送端末１０が取得して切替履歴管理ＤＢ１００３に登録してもよい。【０１０３】
また、本実施例の切替画像決定部２１（切替時間推測手段の一例）は、切替履歴管理テーブルに記憶されている切替時間に基づいて通信ＰＦの切替時間を推測する。【０１０４】
続いて、図１１のステップＳ６，７における会議中画面６０２の表示を終了させて伝送端末１０が切替画面を表示する処理について説明する。図１８は、伝送端末１０が会議中画面６０２の表示を終了させて切替画面６０１を表示する処理の手順を示すフローチャート図の一例である。【０１０５】
まず、切替画像決定部２１は、通信ＰＦを切り替えるか否かを判定する（Ｓ１０）。すなわち、伝送管理システム５０から切替開始通知が送信されたか否かを判定する。切替開始通知が送信されなければ伝送端末１０は何もしない。【０１０６】
切替開始通知が送信された場合（Ｓ１０のＹｅｓ）、切替画像決定部２１は切替履歴管理テーブル及び切替画像設定管理テーブルを参照して切替画像を決定する（Ｓ１５）。なお、切替開始通知が送信されると切替時間の測定が開始される。切替時間の測定を開始する契機はこれに限られない。【０１０７】
切替画像の決定について説明する。切替履歴管理テーブルでは、例えば以下のような切替時間が参照される。
・日時が一番新しいもの
・全履歴の平均
・過去の所定数の履歴の平均
・過去の１週間分の履歴の平均
・本日と同じ曜日かつ時間帯の過去の履歴の平均
切替画像決定部２１は、このように切替履歴管理テーブルを参照して切替時間を推測する。次に、切替画像決定部２１は、切替履歴管理テーブルを参照して推測した切替時間に対応づけられている切替画像番号を切替画像設定管理テーブルから読み出す。例えば、切替履歴管理テーブルを参照して推測した切替時間が６sだった場合、切替画像番号としてi_003を読み出す。【０１０８】
以降のステップＳ４０からＳ６０までの処理は図１２と同じである。【０１０９】
次に、通信ＰＦの切り替えが終了すると、切替履歴処理部２２は切替時間の測定を終了し、測定した切替時間を切替履歴管理テーブルに日時と共に記憶させる（Ｓ６５）。ステップＳ７０の処理は図１２と同様である。【０１１０】
以上の処理により、通信ＰＦの切り替えにかかった実際の時間をふまえて、伝送端末１０が最適な切替画像を使用することができるようになる。
＜変形例＞
例えば、以下のように、実施例１と本実施例の切替画像設定管理テーブルを組み合わせて用いてもよい。【０１１１】
【表１１】
2016147855.tif 000013
表１１は切替画像設定管理テーブルの別の一例を示す。表１１の切替画像設定管理テーブルの機能は表２の切替画像設定管理テーブルと同様である。表１１の切替画像設定管理テーブルには、管理番号に対応づけて、ネットワーク帯域、会議参加拠点数、切替時間及び切替画像番号が登録されている。【０１１２】
このような切替画像設定管理テーブルが用いられれば、切替画像決定部２１は通信ＰＦの切り替え時のネットワーク帯域及び会議参加拠点数に対応づけられた切替時間のうち、切替履歴管理テーブルから推測した切替時間に適合する切替画像番号を読み出せる。少なくとも現在と同じネットワーク帯域及び会議参加拠点数に対応づけられた切替時間のうち推測された切替時間に対応づけられた切替画像番号を取得するので、より適切な切替画像を選択しやすくなる。【０１１３】
また、表１２に示すように切替履歴管理テーブルにネットワーク帯域及び会議参加拠点数が登録されていてもよい。【０１１４】
【表１２】
2016147855.tif 000014
表１２は切替履歴管理テーブルの別の一例を示す。表１２の切替履歴管理テーブルには、切替日時に対応づけて、ネットワーク帯域、会議参加拠点数、及び切替時間が登録されている。したがって、このような切替履歴管理テーブルが用いられれば、切替画像決定部２１は通信ＰＦの切り替え時のネットワーク帯域及び会議参加拠点数に対応づけられた切替時間を読み出すことができる。そして、表９に示されているような切替画像設定管理テーブルから、切替時間に対応づけられた切替画像番号を読み出す。【０１１５】
表１２の切替履歴管理テーブルのように通信ＰＦの切り替え時の通信状況（ネットワーク帯域及び会議参加拠点数）と同じ通信状況の切替時間が取得できれば、切替画像決定部２１は切替時間の予測精度を向上できる。したがって、適切な切替画像を選択しやすくなる。
【実施例３】
【０１１６】
本実施例では会議の画像を切替画像として使用する伝送端末１０について説明する。【０１１７】
図１９は本実施例における伝送端末１０の機能ブロック図の一例である。なお、伝送管理システム５０については実施例１の図９と同じであるため省略した。本実施例において、図９において同一の符号を付した構成要素は同様の機能を果たすので、主に本実施例の主要な構成要素についてのみ説明する場合がある。【０１１８】
図示するように、本実施例の不揮発性記憶部１０００には切替画像設定管理ＤＢ１００２が構築されていない。また、本実施例の切替画像管理ＤＢ１００１には会議中にディスプレイ１２０に表示された会議中画面６０２の画像が記憶されている。例えば、通信ＰＦの切り替えの直前にディスプレイに表示された会議中画面６０２の画像である。これにより、通信ＰＦの切り替え中に、通信ＰＦの切り替えが開始される直前の画像を伝送端末１０が表示できる。【０１１９】
次に、伝送端末１０の機能について説明する。図１９に示すように、本実施例の伝送端末１０は画像取得部２３を有している。画像取得部２３は、図７に示されているＣＰＵ１０１からの命令によって実現され、ディスプレイ１２０に表示された画像を取り込む（キャプチャする）。【０１２０】
図２０を用いて、画像のキャプチャと切替画面６０１の表示について説明する。図２０はディスプレイ１２０に表示された会議中画面６０２のキャプチャと切替画面６０１の表示を模式的に説明する図の一例である。図２０の（ａ）は通信ＰＦの切り替え開始前にディスプレイ１２０ａａに表示される会議中画面６０２を、図２０の（ｂ）は通信ＰＦの切り替え開始後にディスプレイ１２０ａａに表示される切替画面６０１を、図２０の（ｃ）は通信ＰＦの切り替え終了後にディスプレイ１２０ａａに表示される会議中画面６０２をそれぞれ示す。【０１２１】
図２０の（ａ）では、伝送端末１０ａａは伝送端末１０ａｂから送信された画像をディスプレイ１２０ａａに表示している。通信ＰＦの切り替えが開始されると、伝送端末１０ａａの画像取得部２３はディスプレイ１２０ａａに表示されていた会議中画面６０２を取り込み、会議中画面６０２の画像を切替画像管理ＤＢ１００１に記憶させる。【０１２２】
図２０の（ｂ）に示すように、通信ＰＦの切り替え中、伝送端末１０ａａは切替画像管理ＤＢ１００１から取り込んだ会議中画面６０２の画像を読み出してディスプレイ１２０ａａに表示する。また、図２０の（ｂ）に示すように、通信ＰＦの切り替え中、伝送端末１０ａａは取り込んだ画像を切替画像管理ＤＢ１００１から読み出してディスプレイ１２０ａａに表示する。また、図２０の（ｃ）に示すように、通信ＰＦの切り替えが終了すると、伝送端末１０ａａは伝送端末１０ａｂ、他の伝送端末１０ａｃなどから送信された画像を含む会議中画面６０２をディスプレイ１２０ａａに表示する。【０１２３】
したがって、伝送端末１０が通信ＰＦを切り替える直前の画像を取り込むことで、通信ＰＦの切り替えを行なっていることをユーザが気づきにくい切替画面６０１を表示できる。【０１２４】
続いて、図１１のステップＳ６，７における会議中画面６０２の表示を終了させて切替画面６０１を表示する処理について説明する。図１６は、伝送端末１０が会議中画面６０２の表示を終了させて切替画面６０１を表示する処理の手順を示すフローチャート図の一例である。【０１２５】
まず、切替画像決定部２１は、通信ＰＦを切り替えるか否かを判定する（Ｓ１０）。すなわち、伝送管理システム５０から切替開始通知が送信されたか否かを判定する。切替開始通知が送信されなければ伝送端末１０は何もしない。【０１２６】
切替開始通知が送信された場合（Ｓ１０のＹｅｓ）、画像取得部２３はディスプレイ１２０に表示している会議中画面６０２を取り込んで会議中画面６０２の画像を切替画像管理ＤＢ１００１に切替画像として記憶させる（Ｓ１７）。【０１２７】
表示制御部１２は、ステップＳ２０で取り込まれた画像を切替画像管理ＤＢ１００１から読み出す（Ｓ４０）。以降のステップＳ５０からＳ７０までの処理は図１２と同じである。【０１２８】
したがって、本実施例の伝送端末１０によれば、ユーザが通信ＰＦの切り替えに気づきにくい切替画面６０１を表示できる。また、予め切替画像を用意しておく必要がない。【０１２９】
なお、画像取得部２３は複数の静止画を取り込んでおいてもよい。例えば、画面の表示内容が大きく変化したこと（例えば、参加拠点数が変化した場合、人物から文書の画像に切り替わった場合など）を画像取得部２３が検知して、そのたびに画像を取り込む。なお、画像取得部２３は静止画の取り込みを定期的に行ってもよい。【０１３０】
図２２、図２３、図２４は、ディスプレイ１２０に表示された切替画面６０１の一例を示す図である。図２２、図２３、図２４はいずれも切替画面６０１である。表示制御部１２は通信ＰＦの切り替え中、切替画像管理ＤＢ１００１に記憶されている静止画を切替画面６０１として例えば数秒ずつ表示する。ユーザは会議の内容を反芻することができ、通信ＰＦの切替時間を有効に活用できる。なお、図２２、図２３、図２４の切替画面６０１では、「通信方式を切り替え中です」などのメッセージを表示することが好ましい。【０１３１】
また、画像取得部２３が取り込む会議中画面６０２の画像は静止画である必要はなく、動画であってもよい。動画を取り込む場合、例えば最も新しい１０〜２０秒程度の会議中画面６０２の画像を常に記憶させておき、通信ＰＦの切替中はこの動画を表示する。動画であれば、少なくとも伝送端末１０に不具合が生じていないことをユーザが把握できる。
【実施例４】
【０１３２】
本実施例では通信ＰＦの切り替えフェーズを切替画面６０１に表示する伝送端末１０について説明する。【０１３３】
なお、本実施例では図９と同じ機能ブロック図を用いるものとして説明する。ただし、本実施例で説明する以下の伝送端末１０の機能は実施例１と異なっている。【０１３４】
本実施例の切替画像設定管理ＤＢ１００２には、通信ＰＦの切り替えのフェーズに応じて切替画像を選択するための条件が記憶されている。【０１３５】
【表１３】
2016147855.tif 000015
表１３は本実施例の切替画像設定管理テーブルの一例である。表１３の切替画像設定管理テーブルには、管理番号に対応づけて切替フェーズと切替画像番号が登録されている。切替画像決定部２１は切替フェーズに応じて切替画像番号を読み出すことができる。【０１３６】
図２５、図２６は切替画面６０１の一例を示す図である。図２５、図２６の切替画面６０１には、切り替えが進行していることを示すアイコン６０１２の下にフェーズ１〜フェーズ５と表示されている。図２５では着色部分が１つのアイコン６０１２と共にフェーズ１という標示６０１３が強調表示されている。図２６では着色部分が２つのアイコン６０１２と共にフェーズ１とフェーズ２の標示６０１４が強調表示されている。このような切替画面６０１によれば、ユーザは通信ＰＦの切り替え処理の全フェーズのうちどのくらいが進行しているかを把握しやすくなる。【０１３７】
本実施例の切替画像決定部２１は伝送管理システム５０から通信ＰＦの切り替えフェーズに関する情報を取得する（取得手段の一例）。例えば、フェーズ１は全端末へ切り替え開始通知が完了した段階、フェーズ２は伝送管理システム５０の切り替えの準備ができた段階、フェーズ３は中継装置３０が決まった段階、フェーズ４は全ての伝送端末１０が通信ＰＦを切り替えた段階、フェーズ５は全ての伝送端末間でセッションが確立した段階、などが挙げられる。【０１３８】
切替画像決定部２１は伝送管理システム５０から取得した切り替えフェーズに関する情報に応じて切替画像設定管理テーブルを参照し切替画像を決定する。なお、図２５、図２６の切替画像のフェーズ１〜フェーズ５の標示６０１３，６０１４は、フェーズ１〜フェーズ５という文字のままでもよいが、伝送管理システム５０が行う切り替え処理に応じたものであることが好ましい。適切な標示は、切替画像の作成者が予め切替画像に記述しておく。これにより、ユーザは通信ＰＦの切り替えがどのような段階かを把握しやすくなる。【０１３９】
また、切り替えのフェーズとしてセッションが確立した伝送端末１０の数を用いてもよい。伝送管理システム５０はセッションが確立するごとに伝送端末１０に通知する。伝送端末１０の切替画像決定部２１はセッションが確立した伝送端末１０の数に応じて切替画像を決定する。したがって、この場合の切替画面６０１では、「１つめのセッションが確立しました」という標示、「２つめのセッションが確立しました」という標示などが徐々に増えていく。これらの標示に加え、全拠点数も標示することが好ましい。【０１４０】
なお、切替画像にフェーズ１〜フェーズ５の標示６０１３，６０１４が含まれている必要はなく、実施例１〜３の切替画像にフェーズ１〜フェーズ５の標示６０１３，６０１４を重畳して表示してもよい。すなわち、表示制御部１２は伝送管理システム５０から通知された切り替えのフェーズを切替画面６０１に重ねて表示する。【０１４１】
したがって、本実施例によれば通信ＰＦの切り替え中に伝送端末１０が伝送管理システム５０と通信することで、切替画面６０１に切り替えがどの段階まで進んだかを示すフェーズ情報を表示することができる。
＜その他の好適な適用例＞
本発明を実施するための最良の形態について実施例を用いて説明したが、本発明はこうした実施例に何等限定されるものではなく、本発明の要旨を逸脱しない範囲内において種々の変形及び置換を加えることができる。【０１４２】
以上の実施例で示した図９などの構成例は、伝送端末１０及び伝送管理システム５０の処理の理解容易にするために、主な機能に応じて分割したものである。処理単位の分割の仕方や名称によって本願発明が制限されることはない。伝送端末１０及び伝送管理システム５０の処理は、処理内容に応じてさらに多くの処理単位に分割することもできる。また、１つの処理単位がさらに多くの処理を含むように分割することもできる。【０１４３】
また、上記の実施例１〜４では、伝送端末１０が切替画像管理ＤＢ１００１、切替画像設定管理ＤＢ１００２及び切替履歴管理ＤＢ１００３を有するものとして説明した。しかし、切替画像管理ＤＢ１００１、切替画像設定管理ＤＢ１００２及び切替履歴管理ＤＢ１００３の１つ以上を、伝送管理システム５０が有していてもよい。この場合、伝送管理システム５０は例えばログインした伝送端末１０に切替画像管理ＤＢ１００１、切替画像設定管理ＤＢ１００２及び切替履歴管理ＤＢ１００３を送信する。【０１４４】
また、上記の実施例１〜４では、伝送端末１０の切替画像決定部２１が切替画像を決定したが、伝送管理システム５０が切替画像を決定してもよい。この場合、伝送管理システム５０がネットワーク帯域や会議参加拠点数に応じて伝送端末１０ごとに切替画像を決定することも可能であり、全ての伝送端末１０に対し同じ切替画像を決定することも可能である。この場合も、切替画像管理ＤＢ１００１は伝送端末１０が持っていても伝送管理システム５０が持っていてもよく、後者の場合、伝送管理システム５０が決定した切替画像を伝送端末１０に送信すればよい。【０１４５】
また、上記の実施例１〜４では伝送端末１０が切替画面６０１を表示するとして説明したが、携帯端末２０も同様に切替画面６０１を表示できる。【０１４６】
また、上記の実施例１〜４では、拠点数に応じて通信ＰＦが切り替えられているが、通信ＰＦを切り替える契機はこれに限られない。利用可能帯域の変化、伝送端末１０や携帯端末２０が移動体通信網を利用しているか否か、全ての伝送端末１０が社内ＬＡＮに接続されているかどうか、又は、全ての伝送端末１０が有線接続であるか否かなどに応じて通信ＰＦを切り替えることができる。【０１４７】
また、上記の実施形態では伝送端末１０の一例としてテレビ会議専用端末の場合について説明したが、これに限るものではなく、ＩＰ（Internet Protocol）電話やインターネット電話等の電話端末であってもよい。また、スマートフォン、携帯電話機、カーナビゲーション端末、ウェアラブルコンピュータ、カメラ、電子黒板、ゲーム機、又は、通信機能を備えた産業用機器であってもよい。ウェアラブルコンピュータには、腕時計やヘッドマウントディスプレイ等が含まれる。また、産業用機器にはＭＦＰ（Multifunction Peripheral/Printer/Product）等のオフィス機器、内視鏡等の医療用機器、耕耘機等の農業用機器などが含まれる。【０１４８】
尚、上述の実施形態は本発明の好適な実施の例ではあるがこれに限定されるものではなく、本発明の要旨を逸脱しない範囲において種々変形実施可能である。【０１４９】
例えば、上記実施形態では、ＰＴＰシートに包装される錠剤（タブレット）が薬剤である場合について説明したが、これに限定されるものではなく、例えば、食品等であっても良い。【０１５０】
本国際出願は２０１５年３月１８日に出願された日本国特許出願第２０１５−０５５３０２号に基づく優先権を主張するものであり、日本国特許出願第２０１５−０５５３０２号の全内容をここ本国際出願に援用する。
【符号の説明】
【０１５１】
１            伝送システム
１０          伝送端末
１８          切替画像決定パラメータ測定部
２０          携帯端末
２１          切替画像決定部
２２          切替履歴処理部
２３          画像取得部
３０          中継装置
５０          伝送管理システム
【図１】
2016147855.tif 000016
【図２】
2016147855.tif 000017
【図３】
2016147855.tif 000018
【図４】
2016147855.tif 000019
【図５】
2016147855.tif 000020
【図６】
2016147855.tif 000021
【図７】
2016147855.tif 000022
【図８】
2016147855.tif 000023
【図９】
2016147855.tif 000024
【図１０】
2016147855.tif 000025
【図１１】
2016147855.tif 000026
【図１２】
2016147855.tif 000027
【図１３】
2016147855.tif 000028
【図１４】
2016147855.tif 000029
【図１５】
2016147855.tif 000030
【図１６】
2016147855.tif 000031
【図１７】
2016147855.tif 000032
【図１８】
2016147855.tif 000033
【図１９】
2016147855.tif 000034
【図２０】
2016147855.tif 000035
【図２１】
2016147855.tif 000036
【図２２】
2016147855.tif 000037
【図２３】
2016147855.tif 000038
【図２４】
2016147855.tif 000039
【図２５】
2016147855.tif 000040
【図２６】
2016147855.tif 000041
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
複数の通信プラットフォームの少なくとも１つを用いて他拠点の情報処理装置と通信する情報処理装置であって、
前記他拠点の情報処理装置から送信された送信画像を受信する受信手段と、
前記受信手段が受信した前記送信画像を表示装置に表示する表示手段と、
表示用画像を記憶する画像記憶手段と、前記画像記憶手段から前記表示用画像を読み出す読出手段と、を有し、
前記通信プラットフォームが切り替えられている間の少なくともある期間において、前記表示手段は前記送信画像を前記読出手段が読み出した前記表示用画像に切り替えて前記表示装置に表示する情報処理装置。
【請求項２】
前記画像記憶手段には複数の前記表示用画像が記憶されており、
前記他拠点の情報処理装置との通信状況を検出する状況検出手段と、
前記通信状況に対応づけて前記表示用画像の識別情報が登録された画面識別情報記憶手段から、前記状況検出手段が検出した前記通信状況に対応づけられた前記識別情報を取得する画面決定手段と、を有し、
前記読出手段は、前記画面決定手段が取得した前記識別情報の前記表示用画像を前記画像記憶手段から読み出し、
前記通信プラットフォームが切り替えられている間の少なくともある期間において、前記表示手段は前記表示用画像を前記表示装置に表示する請求項１に記載の情報処理装置。
【請求項３】
前記状況検出手段は前記通信プラットフォームの切り替えに要する時間に相関する前記通信状況を検出するものであり、
前記画面決定手段は、前記状況検出手段が検出した前記通信状況に基づいて前記表示用画像として動画又は静止画の前記識別情報を画面識別情報記憶手段から取得する請求項２に記載の情報処理装置。
【請求項４】
前記状況検出手段は前記他拠点の情報処理装置との通信帯域又は拠点数の少なくとも一方を検出するものであり、
前記画面決定手段は、前記状況検出手段が検出した前記通信帯域又は前記拠点数に対応づけられた前記識別情報を画面識別情報記憶手段から取得する請求項３に記載の情報処理装置。
【請求項５】
前記画像記憶手段には複数の前記表示用画像が記憶されており、
前記通信プラットフォームの切り替えに要した切替時間を切替時間記憶手段に記録する記録手段と、
前記切替時間記憶手段に記憶されている過去の前記切替時間に基づいて前記通信プラットフォームの切り替えに要する前記切替時間を推測する切替時間推測手段と、
前記切替時間に対応づけて前記表示用画像の識別情報が登録された画面識別情報記憶手段から、前記切替時間推測手段が推測した前記切替時間に対応づけられた前記識別情報を取得する画面決定手段と、を有し、
前記読出手段は、前記画面決定手段が取得した前記識別情報の前記表示用画像を前記画像記憶手段から読み出し、
前記通信プラットフォームが切り替えられている間の少なくともある期間において、前記表示手段は前記表示用画像を前記表示装置に表示する請求項１に記載の情報処理装置。
【請求項６】
前記他拠点の情報処理装置との通信状況を検出する状況検出手段を有し、
前記画面識別情報記憶手段には、前記切替時間及び前記通信状況に対応づけて前記表示用画像の前記識別情報が登録されており、
前記画面決定手段は、前記画面識別情報記憶手段から、前記切替時間推測手段が推測した前記切替時間及び前記状況検出手段が検出した前記通信状況に対応づけられた前記識別情報を取得する請求項５に記載の情報処理装置。
【請求項７】
前記他拠点の情報処理装置との通信状況を検出する状況検出手段を有し、
前記記録手段は、前記通信プラットフォームの切り替えに要した切替時間を前記状況検出手段が検出した前記通信状況に対応づけて前記切替時間記憶手段に記録し、
前記切替時間推測手段は、前記切替時間記憶手段において前記状況検出手段が検出した前記通信状況に対応づけられている前記切替時間に基づいて前記通信プラットフォームの切り替えに要する前記切替時間を推測し、
前記画面決定手段は、前記画面識別情報記憶手段から前記切替時間推測手段が推測した前記切替時間に対応づけられた前記識別情報を取得する請求項５に記載の情報処理装置。
【請求項８】
前記表示用画像は前記通信プラットフォームの切り替え中であることを示す情報が含まれる請求項１〜７いずれか１項に記載の情報処理装置。
【請求項９】
前記表示装置に表示された前記送信画像を取り込む取り込み手段を有し、
前記通信プラットフォームが切り替えられている間の少なくともある期間において、前記表示手段は、前記取り込み手段が取り込んだ前記送信画像を前記表示装置に表示する請求項１に記載の情報処理装置。
【請求項１０】
前記通信プラットフォームの切り替えが開始される前に、前記取り込み手段は複数の前記送信画像を取り込んでおき、
前記通信プラットフォームが切り替えられている間の少なくともある期間において、前記表示手段は、前記取り込み手段が取り込んだ複数の前記送信画像を切り替えて前記表示装置に表示する請求項９に記載の情報処理装置。
【請求項１１】
前記通信プラットフォームを切り替える装置から前記通信プラットフォームの切り替えのフェーズ情報を取得する取得手段を有し、
前記表示手段は、前記取得手段が取得した前記フェーズ情報を前記表示用画像と共に前記表示装置に表示する請求項１〜１０いずれか１項に記載の情報処理装置。
【請求項１２】
前記複数の通信プラットフォームの少なくとも１つは映像データの送信方法が異なる請求項１〜１１いずれか１項に記載の情報処理装置。
【請求項１３】
複数の通信プラットフォームの少なくとも１つを用いて他拠点の情報処理装置と通信する情報処理装置によって行われる画面表示方法であって、
受信手段が、前記他拠点の情報処理装置から送信された送信画像を受信するステップと、
表示手段が、前記受信手段が受信した前記送信画像を表示装置に表示するステップと、
読出手段が、表示用画像を記憶する画像記憶手段から前記表示用画像を読み出すステップと、
前記通信プラットフォームが切り替えられている間の少なくともある期間において、前記表示手段が、前記送信画像を前記読出手段が読み出した前記表示用画像に切り替えて前記表示装置に表示するステップと、を有する画面表示方法。
【請求項１４】
複数の通信プラットフォームの少なくとも１つを用いて他拠点の情報処理装置と通信する情報処理装置に、
前記他拠点の情報処理装置から送信された送信画像を受信する受信ステップと、
前記受信ステップにより受信された前記送信画像を表示装置に表示する表示ステップと、
表示用画像を記憶する画像記憶手段から前記表示用画像を読み出す読出ステップと、
前記通信プラットフォームが切り替えられている間の少なくともある期間において、前記送信画像を前記読出ステップにより読み出された前記表示用画像に切り替えて前記表示装置に表示するステップと、
を実行させるためのプログラム。
【請求項１５】
複数の通信プラットフォームの少なくとも１つを用いて他拠点の情報処理装置と通信する情報処理装置と、前記通信プラットフォームを切り替える情報処理装置とを有する伝送システムであって、
前記他拠点の情報処理装置から送信された送信画像を受信する受信手段と、
前記受信手段が受信した前記送信画像を表示装置に表示する表示手段と、
表示用画像を記憶する画像記憶手段と、前記画像記憶手段から前記表示用画像を読み出す読出手段と、を有し、
前記通信プラットフォームが切り替えられている間の少なくともある期間において、前記表示手段は前記送信画像を前記読出手段が読み出した前記表示用画像に切り替えて前記表示装置に表示する伝送システム。
【国際調査報告】
2016147855.tif 000042
2016147855.tif 000043